(57)【特許請求の範囲】
【請求項１】
剛性壁および一の弾性壁（５）により画定される医療流体チャンバ（２）を備え、前記医療流体チャンバ（２）は、医療流体の入口（３）および医療流体の出口（４）を含む医療装置のための流体圧力測定機器であって、
平坦な計測表面（１６）を有する圧力変換器（１０）をさらに備え、
前記弾性壁（５）および前記平坦な計測表面（１６）は平行であり、流体密封チャンバ（８）を介して離れており、
前記流体密封チャンバ（８）は、前記流体密封チャンバ（８）内の流体圧力を調節するように構成された流体交換流路（１２）を含み、
前記弾性壁（５）は、前記医療流体チャンバの前記剛性壁と前記医療装置の剛性要素（１４）との間を結合する手段によって十分に押圧される密閉突起を含むことを特徴とする、流体圧力測定機器。
【請求項２】
前記流体交換流路（１２）が、前記流体密封チャンバ（８）内の流体圧力を所定の圧力に調節することを特徴とする、請求項１に記載の流体圧力測定機器。
【請求項３】
前記流体交換流路（１２）が、前記流体密封チャンバ（８）内の流体圧力を大気圧に調節することを特徴とする、請求項２に記載の流体圧力測定機器。
【請求項４】
前記流体交換流路（１２）が、少なくとも医療流体の圧力が監視される前に、前記流体密封チャンバ（８）内の流体圧力を調節することを特徴とする、請求項１に記載の流体圧力測定機器。
【請求項５】
前記弾性壁（５）および前記変換器（１０）は、少なくとも１つの剛性要素（１４）および１つの弾性要素（１１）を介して、互いに機械的に接触していることを特徴とする、請求項１から４のいずれか一項に記載の流体圧力計測機器。
【請求項６】
前記弾性壁（５）の外側の表面（１５）は、前記弾性壁（５）と前記剛性要素（１４）との間の流体の厳密な密封を確保する様に適合されている密閉突起（６）を周囲に含むことを特徴とする、請求項５に記載の流体圧力計測機器。
【請求項７】
前記弾性壁（５）および前記平坦な計測表面（１６）は、水平であることを特徴とする、請求項１から６のいずれか一項に記載の流体圧力計測機器。
【請求項８】
前記弾性壁（５）および前記平坦な計測表面（１６）は、鉛直であることを特徴とする、請求項１から６のいずれか一項に記載の流体圧力計測機器。
【請求項９】
前記密閉突起（６）は、環状の形状を有し、鉛直に延びていることを特徴とする、請求項８に記載の流体圧力計測機器。
【請求項１０】
前記密閉突起（６）は、環状の形状を有し、水平に延びていることを特徴とする、請求項７に記載の流体圧力計測機器。
【請求項１１】
前記流体密封チャンバ（８）は、側壁に環状の溝（１３）を有し、
前記環状の溝（１３）は、流体交換チャンバとして作動するように適合されていることを特徴とする、請求項１から４のいずれか一項に記載の流体圧力計測機器。
【請求項１２】
前記流体密封チャンバ（８）は、気体を含むように設計されていることを特徴とする、請求項１から１１のいずれか一項に記載の流体圧力計測機器。
【請求項１３】
前記流体密封チャンバ（８）は、液体を含むように設計されていることを特徴とする、請求項１から１１のいずれか一項に記載の流体圧力計測機器。
【発明の詳細な説明】
【技術分野】
【０００１】
本発明は、医療装置の圧力計測に関し、例えば、ディスポーザル（使い捨て）機器における圧力の計測に関する。
【背景技術】
【０００２】
最新技術
ディスポーザル機器と医療装置との接合部分は、簡易で信頼性を有する技術的な解決が要求される。特に、計測の目的においては、設計は機能性および制御性を確保しなければならない。圧力変換器は、損傷に対して保護されなければならない。ディスポーザル機器と器具との間の機械的な係合は、その器具によって達成および制御されるべきである。どのような機能不良であっても、使用者に知らされるべきである。
【発明の概要】
【発明が解決しようとする課題】
【０００３】
現在の技術的な解決手法は、すべての必要な要求を満たすことはできない。当初の設計は、臨床環境において使われるように形成され、そして医療スタッフにより操作される様に形成されており、例えば、患者の自宅での環境で使われる様には形成されていない。
【０００４】
したがって、医療装置において流体の圧力計測を改善する必要性がある。
【課題を解決するための手段】
【０００５】
発明の概要
上記に記載された問題は、剛性壁および１つの弾性壁により画定される医療流体チャンバを含む医療装置のための流体圧力計測機器に関する本発明により解決される。医療流体チャンバは、医療流体の入口および医療流体の出口を有する。流体圧力計測機器は、さらに、平坦な計測表面を有する圧力変換器を含み、上記弾性壁および上記平坦な計測表面は平行であり、そして流体密封チャンバを介して離れている。
【０００６】
有利には、弾性壁および変換器は、少なくとも一の剛性要素および一の弾性要素を介して互いに機械的に接触している。
【０００７】
発明の好ましい形態においては、弾性壁の外側の表面は、密閉突起を周囲に有する。密閉突起は、弾性壁と剛性要素との間の流体を厳密に密封することを確保するように適合されている。
【０００８】
好ましくは、弾性壁および平坦な計測表面は水平であるが、これらの要素は鉛直でも構わない。
【０００９】
一の実施形態においては、密閉突起は環状の形状を有し、鉛直に延びている。
【００１０】
他の実施形態においては、密閉突起は環状に形成されているが、水平に延びている。
【００１１】
さらに他の実施形態においては、流体密封チャンバは、流体交換流路を有する。有利には、流体交換流路の出口に電磁気が使われる。好ましくは、流体密封チャンバは、側壁に形成されている環状の溝を有する。環状の溝は、流体交換チャンバとして作動するように設計されている。
【図面の簡単な説明】
【００１２】
【図１】図１は、計測部分と医療流体チャンバとの間の鉛直密閉を有する第１の実施形態である。
【図２】図２は、計測部分と医療流体チャンバとの間の水平密閉を有する第２の実施形態である。
【発明を実施するための形態】
【００１３】
発明の詳細な説明
発明は、後述の図により説明される例と共に、より詳細な方法により以下に議論される。
【００１４】
次の記述は、数ある中でも特に、弾性を形成する部分により覆われている計測チャンバと圧力変換器とを結合する２つの解決方法を示している。ここでは２つの解決方法を、鉛直密閉および水平密閉という。
【００１５】
鉛直密閉（図１）
圧力が計測されるべき流体１は、ディスポーザル機器の一部分を形成する剛性チャンバ２の内部に配置されている。チャンバ２は、入口３および出口４を含む。剛性チャンバ２の底は、外側が弾性壁５により密封されている。さらに、弾性壁５には、環状の形状を有する鉛直密閉リブ６が備えられている。
【００１６】
鉛直密閉リブ６は、医療装置の境界面に対して、剛性チャンバ２の環状の密閉壁の表面７に合わせられる器具によって押圧され得る。剛性チャンバ２の密閉壁の表面７は、大気圧に対して内側のシステムを密封するように、挿入の後に鉛直密閉リブ６に所定の力を付与する。医療装置の境界面は、圧力変換器１０に備えられている。圧力変換器の筐体は、Ｏ−リング１１により、大気圧に対して密封されている。機器の結合では、圧力変換器の膜９および弾性を形成する部分５が、小さな残存距離を空けて取り付けられることが確保され、最終的な空気チャンバ８が形成される。
【００１７】
ディスポーザル機器と器具との結合の後に、弾性を形成する部分５と圧力変換器１０の膜９との平行な配置が達成されることが確保されると、変換器の筐体の周りの環状の空間１３は、流体交換流路１２と共にこのシステムを流体交換するために使われ得る。この流体交換流路の出口には、電磁弁が接続される（図示せず）。
【００１８】
水平密封（図２）
圧力が計測されるべき流体１は、ディスポーザル機器の一部分を形成する剛性チャンバ２の内部に配置されている。チャンバ２は、入口３および出口４を含む。剛性チャンバ２の底は、外側が弾性壁５により密封されている。
【００１９】
さらに、弾性を形成する部分５には、環状の形状を有する水平密閉形状６が備えられている。
【００２０】
この水平密閉形状６は、医療装置の環状の密閉壁７ａと剛性チャンバ２のチャンバ壁７ｂの一部分との間を結合する器具により押圧され、また、挿入後に大気圧に対して密閉を形成する。医療装置の環状の密閉壁７ａは、組み立てられている圧力変換器１０の上側および周囲に配置されている。圧力変換器の筐体は、Ｏ−リング１１により大気圧に対して密封されている。器具の結合により圧力変換器の膜９と弾性を形成する部分５とが、小さな残存距離を空けて共に動くことが確保され、最終的な空気チャンバ８が形成される。
【００２１】
ディスポーザル機器と器具との結合の後に、弾性を形成する部分５と圧力変換器１０の膜９との平行な配置が達成されることが確保されると、変換器の筐体の周りの環状の空間は、流体交換流路１２と共にこのシステムを流体交換するために使われ得る。この流体交換流路の出口には、電磁弁が接続される（図示せず）。
【００２２】
システムの機能
液体１が正の圧力の場合には、弾性を形成する部分５は、圧力変換器１０に向かって押圧される。この機械的な移動は、空気容積８を圧縮して、増加した空気圧力が圧力変換器１０に伝達される。液体１が負の圧力の場合には、弾性を形成する部分５は、反対側に移動する。この場合においては、空気容積８が減圧され、減少した空気圧力が圧力変換器１０に伝達される。
【００２３】
結合および密封制御
正確なディスポーザル機器−器具との結合および密封を監視するために、係合している期間では流体交換流路が閉じられる。したがって、係合および駆動工程の期間に、空気チャンバ８の内部で所定の過剰な加圧が生じる。密閉構造（鉛直または水平）が、弾性を形成する部分５と変換器の膜９との間に空気を閉じ込めるとすぐに、チャンバ８の内部の空気圧力が増加する。この増加した圧力信号は伝達され、圧力変換器により検知される。所定の待ち時間の後には、この圧力が一定の水準になり、このことは大気圧に対して正しく密閉されていることを確認することに用いることができる。流体交換流路１２が解放されている期間には、大気圧力の水準に対する圧力降下が検知され得る。この方法は、ディスポーザル機器と器具との間の正しい係合を確保し、また確認するために用いることができる。
【符号の説明】
【００２４】
１    医療流体
２    剛性チャンバ
３    入口
４    出口
５    弾性壁
６    密閉リブ
７    密閉剛性壁の表面
８    流体密封チャンバ
９    変換器の膜
１０    変換器
１１    Ｏ−リング
１２    流体交換流路
１３    流体交換チャンバ
１４    剛性要素
１５    弾性壁の外側表面
１６    計測表面
【図１】
0005735590.tif 000002
【図２】
0005735590.tif 000003